(57)【特許請求の範囲】
【請求項１】
生体に挿入または装着して使用される長尺の器具と、
液体が密封される容器と、
前記器具および前記容器を収納する包材とを有する包装体であって、
前記器具は、前記液体との接触を必要とする要接液部と、前記液体との接触を必要としない接触不用部とを有し、
前記包材に、前記容器より噴出した前記液体の流れを遮断する液遮断手段を設けたことを特徴とする包装体。
【請求項２】
前記液遮断手段は、前記包材を容易に折り曲げ可能とする易折曲部で構成される請求項１に記載の包装体。
【請求項３】
前記易折曲部は、蛇腹状に成形された蛇腹成形部で構成される請求項２に記載の包装体。
【請求項４】
前記易折曲部において、少なくとも９０°以上に折り曲げることができる請求項２または３に記載の包装体。
【請求項５】
前記液遮断手段は、前記容器の開封口と前記接液不用部との間に位置する請求項１ないし４のいずれかに記載の包装体。
【請求項６】
前記器具は、少なくとも前記液遮断手段に位置する部分が可撓性を有するものである請求項１ないし５のいずれかに記載の包装体。
【請求項７】
前記包材は、前記液遮断手段に対して、前記容器の開封口と逆側に包材開封部を有する請求項１ないし６のいずれかに記載の包装体。
【発明の詳細な説明】
【０００１】
【発明の属する技術分野】
本発明は、例えばカテーテルのような長尺の器具を収納した包装体に関するものである。
【０００２】
【従来の技術】
カテーテルのような長尺な医療器具と、液体が密封され、開封口を有する容器とが包材内に収納された包装体が知られている。この包装体では、包装体を開封する前に、包材の外側から容器を押圧するなどして容器を開封し、容器内の液体を噴出させ、この液体でカテーテルを濡らし、その後、包装体を開封し、カテーテルを取り出して使用する。
【０００３】
包材内でカテーテルに液体を接触させる際には、カテーテルの生体への挿入部（以下、単に「挿入部」と言う）に対しては、確実に、しかも均一に濡らすことが必要であるが、一方で、カテーテル基端側に形成され、手で持ってカテーテルを操作する基部（以下、単に「基部」と言う）に対しては、手で持ったときに滑って、把持し難くなることを避けるために、液体で濡れることを嫌う。
【０００４】
しかしながら、従来の包装体では、カテーテルの基部への液体の流れを遮断する液遮断手段が設けられていなかったため、濡れることを望まないカテーテルの基部が液体で濡れてしまい、カテーテルの包材からの取り出しや生体への挿入等における操作性を阻害するという問題があった。
【０００５】
【発明が解決しようとする課題】
本発明の目的は、包材内に収納される長尺の器具の要接液部を、優先的、選択的に濡らすことができる包装体を提供することにある。
【０００６】
【課題を解決するための手段】
このような目的は、下記（１）〜（７）の本発明により達成される。
【０００７】
（１）  生体に挿入または装着して使用される長尺の器具と、
液体が密封される容器と、
前記器具および前記容器を収納する包材とを有する包装体であって、
前記器具は、前記液体との接触を必要とする要接液部と、前記液体との接触を必要としない接触不用部とを有し、
前記包材に、前記容器より噴出した前記液体の流れを遮断する液遮断手段を設けたことを特徴とする包装体。
【０００８】
（２）  前記液遮断手段は、前記包材を容易に折り曲げ可能とする易折曲部で構成される上記（１）に記載の包装体。
【０００９】
（３）  前記易折曲部は、蛇腹状に成形された蛇腹成形部で構成される上記（２）に記載の包装体。
【００１０】
（４）  前記易折曲部において、少なくとも９０°以上に折り曲げることができる上記（２）または（３）に記載の包装体。
【００１１】
（５）  前記液遮断手段は、前記容器の開封口と前記接液不用部との間に位置する上記（１）ないし（４）のいずれかに記載の包装体。
【００１２】
（６）  前記器具は、少なくとも前記液遮断手段に位置する部分が可撓性を有するものである上記（１）ないし（５）のいずれかに記載の包装体。
【００１３】
（７）  前記包材は、前記液遮断手段に対して、前記容器の開封口と逆側に包材開封部を有する上記（１）ないし（６）のいずれかに記載の包装体。
【００１４】
【発明の実施の形態】
以下、本発明の包装体を添付図面に示す好適実施形態に基づいて詳細に説明する。
【００１５】
図１は、本発明の包装体の実施形態を示す平面図（内部透視図）、図２は、図１中のＡ−Ａ線断面図である。以下、図１（図３および図４も同様）中の上側を「基端」、下側を「先端」として説明する。
【００１６】
まず、包装体１を構成する各要素について説明する。
図１および図２に示すように、本発明の包装体１は、包材２内に、生体に挿入または装着して使用される長尺の器具であるカテーテル３と、液体が密封される容器４と、前記液体を吸収、保持できる吸収体５とが収納されたものである。
【００１７】
包材２は、対向する一対のシート材２ａ、２ｂで構成されている。図２に示すように、一方のシート材２ａは、平坦な形状に、他方のシート材２ｂは、収納するカテーテル３、容器４および吸収体５の形状に対応するような所望のパターンの突出形状（ブリスター形状）に成形されたもので、両シート材２ａ、２ｂを重ね、それらの外周部を融着（熱融着、高周波融着、超音波融着等）または接着（接着剤や溶剤による接着）によりシールしたものである。このシール部２１で囲まれる空間に、包材２の収納空間２０が形成される。
【００１８】
包材２を構成するシート材（フィルム）２ａ、２ｂとしては、特に限定されないが、例えば、ポリエチレン、ポリプロピレン等のポリオレフィン樹脂、これらポリオレフィン樹脂のブレンド樹脂、ポリエチレンテレフタレート等のポリエステル樹脂、ポリ塩化ビニリデン、塩化ビニル−塩化ビニリデン共重合体等の単層フィルム、これらのフィルムにアルミニウム、シリカ等を蒸着したもの、アルミニウムフィルム、アルミニウムラミネートフィルム等の金属箔または金属箔を含むフィルムを使用することができる。さらには、これら各フィルムを２層以上積層したものを用いることもできる。また、前記シート材としてプラスチック製不織布や紙を用いてもよい。
【００１９】
シート材２ａ、２ｂは、同一の構成（材料）でも、異なる構成（材料）でもよい。例えば、シート材２ａ、２ｂのいずれか一方が、他方に比べて硬質の材料で構成されていてもよい。
【００２０】
また、内容物の視認性を確保するために、シート材２ａ、２ｂのうち、少なくとも一方は、透明であることが好ましい。
【００２１】
包材２を構成するシート材（単層または多層積層体）の厚さは、その層構成や用いる素材の特性（柔軟性、強度、水蒸気透過性、耐熱性等）等に応じて適宜決定され、特に限定されないが、通常は、６０〜７００μｍ程度であるのが好ましく、１００〜５００μｍ程度であるのがより好ましい。
【００２２】
このような包材２を構成するシート材は、例えば、インフレーション法、Ｔダイ法、ブロー成型法、ドライラミネート法、ホットメルトラミネート法、共押出インフレーション法、共押出Ｔダイ法、ホットプレス法等の種々の方法により製造することができる。
【００２３】
包材２内に収納されるカテーテル３は、生体内に挿入される挿入部３１と、カテーテル３を手で持って操作する基部３２とを有している。挿入部３１は、好ましくは可撓性を有する管体で構成されている。挿入部３１の先端部には、側孔３５が形成された柔軟な先端部材３４が設けられている。
【００２４】
この挿入部３１は、生体内への挿入を円滑に行うことが必要とされ、そのために、挿入部３１の表面の全体または一部には、湿潤により潤滑性を発現する物質が付与されているのが好ましい。
【００２５】
このような物質としては、例えば、特開昭６０−２５９２６９号、特開平１−１９５８６３号公報に記載されているような親水性ポリマーが挙げられる。また、例えば、特公平６−３２６５２号、特開平６−７４２６号、国際出願ＷＯ８８０２６２３、国際出願ＷＯ８９０７５２１、国際出願ＷＯ８９０９２４６、国際出願ＷＯ９００１３４４、国際出願ＷＯ９２１９２８９、国際出願ＷＯ９３１１７５１、国際出願ＷＯ９５２９７２２、特表平１０−５０２８５４号、特表平１０−５０２８５５号、特表平１０−５０２８５６号に開示されている物質や方法を用いてもよい。このような物質は、通常、挿入部３１の表面に、湿潤していない状態（乾燥状態）で存在している。
【００２６】
このような物質は、挿入部３１の基材表面に化学結合されたポリマーであって、該基材表面からの剥離や、水、生理等張液、その他潤滑剤等への溶出が生じ難いものが、潤滑性の持続性、安全性の点から好ましい。
【００２７】
このようなことから、カテーテル３の使用に先立ち、容器４から噴出した液体４３を挿入部３１に接触させ、湿潤により潤滑性を発現させる。したがって、挿入部３１は、液体４３との接触を必要とする要接液部を構成する。
【００２８】
一方、カテーテル３の基部３２は、手で持つ部分であるため、液体４３で濡れていると、滑りやすく、カテーテル３の操作性を低下させ、また、手にも液体が付着するので、好ましくない。したがって、基部３２は、液体４３との接触を必要としない（特に、液体４３との接触を嫌う）接液不用部を構成する。
【００２９】
また、基部３２は、コネクターとして機能するもので、斜め側方に分岐した分岐部３３を有する。ただし、このような形状に限定されないことは、言うまでもない。
【００３０】
包材２内に収納されるカテーテル３の種類、用途等は、特に限定されず、例えば、気管、消化管、尿道、膣、血管、リンパ管、胆管、その他の体腔や、例えば、肺、心臓、腎臓等の各種臓器、その他の生体組織等へ挿入される種々のカテーテル、バルーンカテーテル等が挙げられる。この中でも、特に、尿道に挿入して使用されるカテーテル（尿道カテーテル、導尿カテーテル）が好ましい。
【００３１】
排尿障害における導尿法は、留置カテーテルではなく無菌間歇導尿法が好ましいが、近年、患者自身がカテーテルを使って尿を排出する自己導尿が有効な治療方法として普及してきている。排尿障害は、前立腺肥大症、結石、腫瘍などによる尿道閉塞や、脳・脊髄および骨盤神経などの障害により見られる神経因性膀胱によって起こるが、尿を完全に出しきれない状態になると、尿路内圧が上がって腎臓に負担をかけるので、定期的に尿を排出する必要がある。この際に行われる自己導尿法は、低圧で完全に尿を排出できるので、既にある尿感染が低減する、頻尿、尿失禁が治る、膀胱と腎臓に負担をかけない等の利点があり、患者自身が１日４〜６回程度、尿道から膀胱内にカテーテルを挿入し、尿の排出が終了したら抜去する。その頻度は、例えば、昼間は４〜５時間毎、夜間は就寝前とされる。
【００３２】
したがって、カテーテルの基部（接液不用部）３２を、液体４３で濡れていない状態（乾燥状態）に保つことができれば、医療器具の取り扱いに不慣れな患者にとっては、カテーテル３の操作性が向上し、より簡便かつ確実に自己導尿を行うことができる。同様に医療従事者にとっても、業務の効率化に寄与するものである。
【００３３】
容器４は、筒状に成形されたシート材（インフレーションシート材）の両端部を融着（または接着）し、袋状としたものである。なお、容器４は、このように形成したものに限定されず、例えば、平坦なシート材の中央部を折り曲げ三方を融着（または接着）し、袋状としたもの、あるいは、２枚のシート材を重ね、その外周部全周を融着（または接着）し、袋状としたものでもよい。容器４内には、後述するような液体４３が密閉されている。
【００３４】
このような容器４は、その容量を選択することにより、容器４内の液体４３の量や重量を容易に設定することができ、また、容器４は単独で製造可能なので、製造・管理がし易い。
【００３５】
容器４は、基端部に開封口４１となるシール部と、先端部にシール部４２が形成されている。なお、本発明において、容器４は、容易かつ確実に開封することができるものであれば、その構造等は、特に限定されない。
【００３６】
開封口４１のシール幅は、シール部４２のシール幅より狭くなるように形成されている。このため、例えば、容器４を包材２の外部から押圧（圧迫）等することで開封口４１となるシール部は、シール部４２より容易かつ確実に剥離（破断）する。これにより、容器４は、液体４３を開封口４１より噴出させることができる。
【００３７】
なお、開封口４１は、そのシール部の一部を、他の部分より接合強度（剥離強度）が弱い弱シール部で構成されてもよい。これにより、開封口４１は、より容易かつ確実に剥離して開封する。また、形成する弱シール部の形状によっては、容器４から噴出する液体４３の噴出方向の指向性を向上させることが可能である。ただし、このように開封口４１を形成した場合においても、開封前の状態では、液密性（気密性）が確保されている。
【００３８】
容器４を構成するシート材（フィルム）としては、紙や不織布を除いて限定されず、前記包材２を構成するシート材と同様の構成のものを用いることができる。
【００３９】
容器４を構成するシート材（単層または多層積層体）の厚さは、その層構成や用いる素材の特性（柔軟性、強度、水蒸気透過性、耐熱性等）等に応じて適宜決定され、特に限定されないが、通常は、６０〜７００μｍ程度であるのが好ましく、１００〜５００μｍ程度であるのがより好ましい。
【００４０】
このような容器４を構成するシート材は、例えば、インフレーション法、共押出インフレーション法、Ｔダイ法、ブロー成型法、ドライラミネート法、ホットメルトラミネート法、共押出Ｔダイ法、ホットプレス法等の種々の方法により製造することができる。
【００４１】
容器４内に収納される液体４３は、カテーテル３の挿入部３１の表面と接触して、その摩擦抵抗を低減させることができる物質（液状または半液状物）であるのが好ましい。
【００４２】
液体４３としては、特に限定されないが、例えば、水、生理等張液（生理食塩水）、グリセリン、シリコーンオイル、オリーブオイル等のオイル類、キシロカインゼリー等が挙げられる。
【００４３】
また、カテーテル３の挿入部３１の表面に前述したような湿潤により潤滑性を発現する物質が付与されている場合、液体４３は、この物質を湿潤させることができるものであればいかなるものでもよく、例えば、水、生理等張液（生理食塩水）、グリセリン水溶液等がより好ましく用いられる。
【００４４】
吸収体５は、液体４３等を吸収し、保持することができる液体吸収体である。吸収体５を包材２内に収納することにより、吸収体５は、カテーテル３の挿入部（要接液部）３１と液体４３を接触させた後、余剰の液体４３を吸収、保持することが可能となる。したがって、カテーテル３の基部３２が液体４３と接触し、濡れてしまう可能性がより低くなる。
【００４５】
吸収体５としては、特に限定されないが、例えば、ポリアクリル酸塩系、ポリビニルアルコール系、ポリアクリルアミド系、ポリオキシエチレン系またはマレイン酸系材料等の合成ポリマーや、デンプン、セルロース、アルギン酸のような多糖類材料等の天然材料等のような高分子吸収材料で構成されたものが好ましい。また、その他、例えば、スポンジ、綿、ガーゼ、不織布やそれらに前記高分子吸水性材料を担持したもの（例えば、おむつ、生理用品等に用いられているもの）も可能である。このような吸収体５は、ブロック状、粉末状、フィルム状、シート状（板状）、繊維状などの形態（形状）をとることができる。
【００４６】
次に、前述したカテーテル３、容器４および吸収体５の、包材２内での収納位置と、包材２が有する包材開封部２２の位置について説明する。
【００４７】
図１に示すように、包材２には、その内部に収納されたカテーテル３の基端および先端付近に、それぞれシール部２１が存在している。このため、カテーテル３は、包材２内において、その長手方向の移動が規制される。すなわち、カテーテル３は、その長手方向にわずかな距離しか移動することができない。
【００４８】
また、包材２には、その内部に収納された容器４の基端付近にシール部２１により形成される壁部２４、先端付近にシール部２１により形成される突出部２５および両側付近にシール部２１が、それぞれ存在している。このため、容器４は、包材２内において、図中上下左右方向の移動が規制される。
【００４９】
壁部２４および突出部２５の位置を設定することにより、包材２内でカテーテル３の長手方向に対する容器４の開封口４１の位置を、任意に決定することができる。
【００５０】
本実施形態では、開封口４１は、カテーテル３の挿入部（要接液部）３１の範囲内またはその側部近傍に位置している。開封口４１が、このような位置にあると、カテーテル３の挿入部（要接液部）３１を、液体４３で迅速に、均一に濡らすことができる。
【００５１】
また、前記の壁部２４は、包材２の先端からの距離が、その外側で短く、内側で長くなるように傾斜して（テーパ状に）形成されている。このため、開封口４１から噴出した液体４３のうち、壁部２４に衝突しないものは、カテーテル３の挿入部（要接液部）３１の基端側を効率良く濡らすことができる。一方、テーパ状の壁部２４に衝突したものは、壁部２４でその勢いが緩和されるとともに、その側方、すなわち、挿入部（要接液部）３１に向けて広い角度で飛散し、挿入部（要接液部）３１の残りの部分、特に、中間部を効率良く濡らすことができる。したがって、液体４３が挿入部（要接液部）３１の長手方向に満遍なく広がり、挿入部３１の広範囲をより均一に濡らすことができる。
【００５２】
なお、壁部の形態（形状、構造等）としては、図示したものに限定されず、例えば、開封口４１から噴出する液体４３の噴出方向とほぼ直交している壁部であってもよい。これにより、濡らしたくない方向への噴出を規制し、挿入部（要接液部）３１を均一に濡らすことができる。
【００５３】
さらに、包材２には、その内部に収納された吸収体５の基端付近に前記の突出部２５および先端付近にシール部２１が、それぞれ存在している。このため、吸収体５は、包材２内において、カテーテル３の長手方向の移動が、ある程度規制される。
【００５４】
突出部２５の位置を設定することにより、包材２内でカテーテル３の長手方向に対する吸収体５の位置を、任意に決定することができる。
【００５５】
本実施形態では、吸収体５は、カテーテル３の先端部に位置している。これにより、容器４から噴出した液体４３が、カテーテル３の挿入部３１と十分に接触した後、余剰の液体４３が、吸収体５で吸収、保持されることになり、液体４３の利用効率がよい。
【００５６】
また、包材２には、包材開封部２２が、液遮断手段である後述の易折曲部２６に対して、容器４の開封口４１の逆側、すなわちカテーテル３の基部（接液不用部）３２の近傍に形成されている。
【００５７】
この包材開封部２２は、前述したシート材２ａ、２ｂの基端をシールせずに形成した一対のピールタブ２３、２３を互いに反対方向に引っ張ることにより、包材開封部２２のシール部２１を剥離し、開封することができる。
【００５８】
包材開封部２２は、カテーテル３の基部（接液不用部）３２の近傍に位置するため、挿入部（要接液部）３１を液体４３で濡らした後、カテーテル３を開封された包材開封部２２から取り出す際に、基部３２が液体４３と接触して濡れることをより有効に防止することができる。
【００５９】
なお、包材開封部の構成は、図示のものに限らず、例えば、包材の縁部に切欠き（ノッチ）が形成され、この切欠き部から包材２を引き裂いて開封するような構成のものでもよい。
【００６０】
本発明では、包材２が、液遮断手段を有することを特徴とする。以下、詳述する。
【００６１】
図３および図４は、本発明の実施形態を示す側面図（内部透視図）である。このうち、図３は、易折曲部２６で包装体１を折り曲げる前の状態を示す図であり、図４は、易折曲部２６で包装体１を折り曲げた後の状態を示す図である。
【００６２】
液遮断手段は、容器４より噴出した液体４３の流れを容易に遮断できるものである。
【００６３】
液遮断手段としては、包材２を、例えば、容易に折り曲げ可能とした易折曲部、容易に絞ることを可能にした易結紮部、容易にねじることを可能にした易ねじり部等で構成されるものが好ましく、本実施形態では、液遮断手段が易折曲部２６で構成されている。
【００６４】
易折曲部２６は、蛇腹状に成形された蛇腹成形部で構成されている。これにより、図３に示すように、包材２内の収納空間２０は、易折曲部２６の部分において他の部分より狭く画成されている。加えて、図４に示すように、包装体１を易折曲部２６で折り曲げた場合には、蛇腹成形部のシート材が、易折曲部２６の範囲の収納空間２０を、閉塞または狭窄することができる。このため、容器４より噴出した液体４３の流れは、易折曲部２６で遮断され、カテーテル３の基部（接液不用部）３２が液体４３と接触し、濡れることを防止することができる。
【００６５】
易折曲部２６における折り曲げ角度としては、特に限定されないが、図４に示す角度θを、９０°以上に折り曲げ可能とすることが好ましい。角度を９０°にまで折り曲げることができれば、易折曲部２６での液体４３の遮断性がより向上する。
【００６６】
このような易折曲部２６は、容器４の開封口４１とカテーテル３の基部（接液不用部）３２の間に位置している。特に、易折曲部２６は、図示のように、基部（接液不用部）３２の近傍に位置しているのが好ましい。かかる位置に易折曲部２６を設けることにより、挿入部３１のできるだけ基端側まで濡らすことができる。
【００６７】
また、このような易折曲部２６の成型方法としては、シート成型法や熱成型法等があり、例えば、真空成型、圧空成型、真空圧空成型、プラグアシスト成型、プラグアシスト真空成型、プラグアシスト圧空成型、プラグアシスト真空圧空成型、ブリスター成型、雄型成型等が用いられる。
【００６８】
次に、前述した包装体１の使用方法（作用）の一例について説明する。
例えば、図３に示すように、包装体１を水平にした状態から、図４に示すように、易折曲部２６において包装体１を、例えば、９０°に折り曲げ、包装体１の基端が鉛直上方を向くようにする。なお、包装体１は、易折曲部２６において９０°〜１８０°に折り曲げることが可能である。これにより、易折曲部２６の範囲の収納空間２０は、閉塞または狭窄される。このため、容器４より噴出した液体４３は、この易折曲部２６を通過できなくなる。
【００６９】
なお、易折曲部２６には、カテーテル３の可撓性を有する挿入部３１が位置している。このため、包装体１は、易折曲部２６において、包材２をカテーテル３ごと折り曲げることができる。
【００７０】
次に、包装体１を前述した状態に保ったまま、包材２の外部から容器４を指等で押圧・圧迫する。これにより、容器４の開封口４１のシール部が剥離（破断）して、開封口４１より容器４内の液体４３が噴出する。
【００７１】
開封口４１から噴出した液体４３の一部は、直接、挿入部（要接液部）３１の基端側へ、また、壁部２４に衝突したものは、その勢いが緩和されるとともに、その側方へ比較的広い角度で飛散する。これにより、液体４３がカテーテル３の挿入部３１の長手方向に広がり、挿入部３１の少なくとも基端側の部分を均一に濡らす。このとき、包装体１は、易折曲部２６において折り曲げられているため、液体４３が、易折曲部２６を越えて基端側へ通過することが阻止される。よって、カテーテル３の基部（接液不用部）３２は、ほとんど液体４３で濡れていないか、濡れたとしても、その先端側が部分的に濡れる程度である。
【００７２】
また、必要に応じて、包装体１を前述した状態に保ったまま、挿入部３１の基端側と先端側を交互に上下させる等の操作を行ってもよい。これにより、挿入部３１の表面に付着している液体４３が、挿入部３１の表面に沿って基端側と先端側を往復し、挿入部３１の基端側の部分から先端側の部分まで、満遍なく、均一に濡らすことができる。
【００７３】
さらに、必要に応じて、水平状態にある包装体１の先端が鉛直下方に向くようにする。すなわち、包装体１の基端が鉛直上方、先端が鉛直下方に向くような姿勢とする。これにより、挿入部３１の表面に付着している液体４３が、挿入部３１の表面に沿って流下し、挿入部３１の先端まで、より満遍なく、より均一に濡らすことができる。特に、先端部材３４の外表面を濡らすことができる。
【００７４】
そして、包材２内の先端部に設置された吸収体５により、余剰の液体４３が、吸収、保持される。これにより、例えば、包装体１の基端を鉛直下方に向けてしまったような場合でも、カテーテル３の基部３２が、余剰の液体と接触し、濡れてしまうことを防止することができる。
【００７５】
以上のようにして、挿入部（要接液部）３１の表面が液体４３で濡れると、挿入部３１の表面は、潤滑性が発現し、摩擦抵抗が低減する。
【００７６】
なお、容器４の開封口４１を開封後、必要に応じて、包材２の外部から指等で押圧（圧迫）する等して、容器４内の液体４３を残らず排出する操作を行ってもよい。
【００７７】
包材２の内部および容器４の内部は、予め滅菌処理がなされており、しかも、液体４３との接触によりカテーテル３の挿入部３１の表面に潤滑性を発現させる操作は、密閉された包材２の収納空間２０内で外気と接触することなく行われるため、カテーテル３は、無菌性を保持することができる。さらに、カテーテル３の基部（接液不用部）３２は乾燥状態に保持されている。
【００７８】
以上のようにして、カテーテル３の挿入部（要接液部）３１の表面が液体４３で濡れ、潤滑性を発現したら、包材２の包材開封部２２を、剥離（破断）して開封する。
【００７９】
そして、カテーテル３の基部３２を手で持ち、カテーテル３を包材２内より取り出す。このとき、カテーテル３の基部（接液不用部）３２は、液体４３で濡れていないため、基部３２を手で持ったときに濡れにより滑ることがなく、このカテーテル３の取り出し操作を迅速、確実に行うことができる。
【００８０】
また、カテーテル３の基部（接液不用部）３２は、包材開封部２２の近傍に位置しているため、包材２からのカテーテル３の取り出し操作の際にも、基部３２が包材２の内面等に付着した液体４３と接触し、濡れるということが防止される。
【００８１】
包材２から取り出されたカテーテル３は、その挿入部３１を生体の目的部位に挿入または装着される。カテーテル３が尿道カテーテル（導尿カテーテル）である場合には、その挿入部３１を先端側から尿道および膀胱に挿入し、このカテーテル３を介して排尿する。このとき挿入部３１の表面が潤滑性を有しているため、円滑かつ安全に行うことができる。
【００８２】
また、このような生体への挿入操作は、カテーテル３の基部３２を手で把持して行なうが、前述したように、カテーテル３の基部３２は、液体４３で濡れていないため、基部３２を手で持ったときに濡れにより滑ることがなく、よって、このカテーテル３の生体への挿入操作を迅速、確実に行うことができる。
【００８３】
以上、本発明を図示の好適実施形態に基づいて説明してきたが、本発明はこれに限定されるものではない。
【００８４】
本発明において、例えば、生体に挿入または装着して使用される長尺のカテーテル３としては、以下のようなものが挙げられる。
【００８５】
・  胃管カテーテル、栄養カテーテル、経管栄養用チューブ、酸素カテーテル、酸素カヌラ、気管内チューブのチューブやカフ、気管切開チューブのチューブやカフ、気管内吸引カテーテル等の経口または経鼻的に挿入、留置されるカテーテル類。
【００８６】
・  吸引カテーテル、排液カテーテル、腹腔カテーテル、直腸カテーテル、トロッカー等の各種体腔、臓器、組織内に挿入、留置されるカテーテル類。
【００８７】
・  血管造影用カテーテル、ＰＴＣＡ用バルーンカテーテル、ＩＡＢＰ用バルーンカテーテル、静脈留置カテーテル、動注用カテーテル等の血管内に挿入、留置されるカテーテル類。
【００８８】
・  単独で、または、前記各カテーテル類とともに使用される各種ガイドワイヤー。
【００８９】
・  人工血管、ステント、人工肛門、人工骨、人工関節、補綴物、義眼
・  注射針、留置針、シース、カテーテルイントロデューサ。
【００９０】
・  内視鏡、心拍出量測定器具、超音波測定・診断器具、超音波破砕プローブ、ペースメーカー、体温計。
【００９１】
・  縫合用または結紮用の糸
・  浣腸
・  コンドーム等の避妊具
【００９２】
なお、本実施形態においては、容器４にカテーテル３の挿入部（要接液部）３１の表面と接触して、その摩擦抵抗を低減させることができる液体４３が収納されていたが、前記液体４３に代わり、容器４に血液抗凝固剤（抗血栓剤）を含有する液体が収納されていてもよい。これにより、カテーテル３を使用するに際し、カテーテル３の挿入部（要接液部）３１に血液抗凝固機能を付与することができる。
血液抗凝固剤としては、例えば、下記表１に示すものが挙げられる。
【００９３】
【表１】
0004262376.tif 000002
また、包材２内には、前述した以外の任意のものが収納されていてもよい。
【００９４】
【発明の効果】
以上述べたように、本発明によれば、包材内に収納される器具の要接液部を、液体で、優先的、選択的に濡らすことができる。
【００９５】
包材に液遮断手段として易折曲部を設けた場合、包装体をこの易折曲部において、折り曲げるだけで上記効果が得られ、しかも、その作業は、極めて簡単で、迅速、確実に行うことができる。
【００９６】
このようなことから、医療器具に適応した場合、医師や看護婦のみならず、患者自身が自分で器具を使用する場合に、有利である。
【図面の簡単な説明】
【図１】本発明の包装体の実施形態を示す平面図（内部透視図）である。
【図２】図１中のＡ―Ａ線断面図である。
【図３】本発明の包装体の実施形態を示す側面図（内部透視図）である。
【図４】本発明の包装体の実施形態を示す側面図（折り曲げ状態）（内部透視図）である。
【符号の説明】
１            包装体
２            包材
２ａ          シート材
２ｂ          シート材
２０          収納空間
２１          シール部
２２          包材開封部
２３          ピールタブ
２４          壁部
２５          突出部
２６          易折曲部
３            カテーテル
３１          挿入部
３２          基部
３３          分岐部
３４          先端部材
３５          側孔
４            容器
４１          開封口
４２          シール部
４３          液体
５            吸収体
【図１】
0004262376.tif 000003
【図２】
0004262376.tif 000004
【図３】
0004262376.tif 000005
【図４】
0004262376.tif 000006